(57)【要約】      （修正有）【課題】屋根葺き施工において屋根材を順次連結する際に施工が容易となる金属製屋根材を得る。【解決手段】略矩形状の屋根材主板１２と、主板を下方に折り返して形成された下端掛合片１４と、屋根材主板１２の上縁部に沿って形成された吊子部１６と、吊子部の下流側に沿って横方向に連続して形成された突条部１８と、突条部より下端側の屋根材主板１２の一側端縁に主板を上方に折り返して形成された一側端掛合片２０と、突条部１８より下端側の屋根材主板の他側端縁に主板を下方に折り返して形成された他側端掛合片２２とを備え、突条部１８は予め屋根に固定された一方の屋根材の一側端掛合片２０に連結される他方の屋根材の他側端掛合片２２を掛合させつつ主板１２の上端方向に摺動させることにより一方の屋根材の突条部１８に他方の屋根材の突条部１８が乗り上げて嵌合可能に形成されているものである。【選択図】図１
2007023669.tif 000002
【特許請求の範囲】
【請求項１】
屋根勾配の側方向に順次連結され、屋根勾配の上方向に下方の屋根材の上端部の上に上方の屋根材の下端部が順次重ねられて屋根を構成する金属製屋根材であって、
略矩形状の屋根材主板と、屋根材主板の下端縁に主板を下方に折り返して形成された下端掛合片と、屋根材主板の上縁部に沿って形成され屋根に取り付ける吊子部と、吊子部の下流側に沿って横方向に連続して形成され上段に配置される屋根材の下端掛合片と掛合する突条部と、突条部より下端側の屋根材主板の一側端縁に主板を上方に折り返して形成された一側端掛合片と、突条部より下端側の屋根材主板の他側端縁に主板を下方に折り返して形成された他側端掛合片とを備え、
前記突条部は、予め屋根に固定された一方の屋根材の一側端掛合片に連結される他方の屋根材の他側端掛合片を掛合させつつ主板の上端方向に摺動させることにより一方の屋根材の突条部に他方の屋根材の突条部が乗り上げて嵌合可能に形成されていることを特徴とする金属製屋根材。
【請求項２】
前記屋根材主板の一側端部には、主板平面高さに対して低い段差が設けられ、前記一側端縁で折り返された一側端掛合片は、連結された屋根材主板同士の表出面が面一となる高さ位置に設けられていることを特徴とする請求項１に記載の金属製屋根材。
【請求項３】
前記段差の一部が目地溝として表出するように他方の屋根材が一方の屋根材に取り付けられるように、一側端掛合片又は他側端掛合片の折り返し長さが規制されていることを特徴とする請求項２に記載の金属製屋根材。
【請求項４】
前記段差の一部が目地溝として表出するように他方の屋根材が一方の屋根材に取り付けられるように、一側端掛合片の折り返し長さが、他側端掛合片折り返し長さよりも長く形成されていることを特徴とする請求項２に記載の金属製屋根材。
【請求項５】
前記段差の一部が目地溝として表出するように他方の屋根材が一方の屋根材に取り付けられ、一側端掛合片又は他側端掛合片の折り返し長さが規制されており、
屋根材主板には、主板の一側端部の段差と他側端縁との間の距離を均等に分割する前記表出される目地溝と同じ見た目幅の目地溝が少なくとも１本形成されていることを特徴とする請求項２に記載の金属製屋根材。
【請求項６】
前記一側端部又は主板の一側端部の段差と他側端縁との間に形成される目地溝は、内側の各々の溝壁間の幅が表出する目地溝の幅よりも広く形成されていることを特徴とする請求項５に記載の金属製屋根材。
【請求項７】
前記目地溝間の屋根材主板が、目地溝に平行な折れ波状であることを特徴とする請求項６に記載の金属製屋根材。
【発明の詳細な説明】
【技術分野】
【０００１】
本発明は、左右方向と上下方向に順次連結して、屋根を形成する屋根材であって、金属板を折曲げて形成された金属製屋根材に関するものである。
【背景技術】
【０００２】
屋根の勾配方向に沿って横に連結され、勾配方向下側に配置された屋根材の上端部の上に、勾配方向上側に配置された屋根材の下端部が順次重ねられて設置される複数の屋根材が既に多数提案されている（例えば、特許文献１、特許文献２参照）。
【０００３】
【特許文献１】実公平７−４３３０９号
【特許文献２】特開２０００−１２０２２４号
【発明の開示】
【発明が解決しようとする課題】
【０００４】
本発明は、屋根葺き施工において屋根材を順次連結する際に施工が容易となる金属製屋根材を得ることを目的とする。また、本発明は、施工後に横方向に隣接する屋根材主板の表出面が面一となり、雪等が屋根上に積もり難い金属製屋根材を得ることを目的とする。更に、本発明は、雨が良好に流れ落ちることのできる金属製屋根材を得ることを目的とする。また、本発明は、連結部分の側方からの雨水の浸入を良好に阻止することのできる金属製屋根材を得ることを目的とする。更に、本発明は、所謂「雨水の横走り現象」を抑制する金属製屋根材を得ることを目的とする。
【課題を解決するための手段】
【０００５】
請求項１に記載された発明に係る金属製屋根材は、屋根勾配の側方向に順次連結され、屋根勾配の上方向に下方の屋根材の上端部の上に上方の屋根材の下端部が順次重ねられて屋根を構成する金属製屋根材であって、
略矩形状の屋根材主板と、屋根材主板の下端縁に主板を下方に折り返して形成された下端掛合片と、屋根材主板の上縁部に沿って形成され屋根に取り付ける吊子部と、吊子部の下流側に沿って横方向に連続して形成され上段に配置される屋根材の下端掛合片と掛合する突条部と、突条部より下端側の屋根材主板の一側端縁に主板を上方に折り返して形成された一側端掛合片と、突条部より下端側の屋根材主板の他側端縁に主板を下方に折り返して形成された他側端掛合片とを備え、
前記突条部は、予め屋根に固定された一方の屋根材の一側端掛合片に連結される他方の屋根材の他側端掛合片を掛合させつつ主板の上端方向に摺動させることにより一方の屋根材の突条部に他方の屋根材の突条部が乗り上げて嵌合可能に形成されていることを特徴とするものである。
【０００６】
請求項２に記載された発明に係る金属製屋根材は、請求項１に記載の屋根材主板の一側端部には、主板平面高さに対して低い段差が設けられ、前記一側端縁で折り返された一側端掛合片は、連結された屋根材主板同士の表出面が面一となる高さ位置に設けられていることを特徴とするものである。
【０００７】
請求項３に記載された発明に係る金属製屋根材は、請求項２に記載の段差の一部が目地溝として表出するように他方の屋根材が一方の屋根材に取り付けられるように、一側端掛合片又は他側端掛合片の折り返し長さが規制されていることを特徴とするものである。
【０００８】
請求項４に記載された発明に係る金属製屋根材は、請求項２に記載の段差の一部が目地溝として表出するように他方の屋根材が一方の屋根材に取り付けられるように、一側端掛合片の折り返し長さが、他側端掛合片折り返し長さよりも長く形成されていることを特徴とするものである。
【０００９】
請求項５に記載された発明に係る金属製屋根材は、請求項２に記載の段差の一部が目地溝として表出するように他方の屋根材が一方の屋根材に取り付けられ、一側端掛合片又は他側端掛合片の折り返し長さが規制されており、
屋根材主板には、主板の一側端部の段差と他側端縁との間の距離を均等に分割する前記表出される目地溝と同じ見た目幅の目地溝が少なくとも１本形成されていることを特徴とするものである。
【００１０】
請求項６に記載された発明に係る金属製屋根材は、請求項５に記載の一側端部又は主板の一側端部の段差と他側端縁との間に形成される目地溝は、内側の各々の溝壁間の幅が表出する目地溝の幅よりも広く形成されていることを特徴とするものである。
【００１１】
請求項７に記載された発明に係る金属製屋根材は、請求項６に記載の目地溝間の屋根材主板が、目地溝に平行な折れ波状であることを特徴とする。
【発明の効果】
【００１２】
本発明は以上説明した通り、屋根葺き施工において屋根材を順次連結する際に施工が容易であり、また、施工後に横方向に隣接する屋根材主板の表出面が面一となって雪等が屋根上に積もり難く、更に、雨が良好に流れ落ちることができ、また、連結部分の側方からの雨水の浸入を良好に阻止することができ、更に、所謂「雨水の横走り現象」を抑制することができるという効果がある。
【発明を実施するための最良の形態】
【００１３】
本発明においては、略矩形状の屋根材主板と、屋根材主板の下端縁に主板を下方に折り返して形成された下端掛合片と、屋根材主板の上縁部に沿って形成され屋根に取り付ける吊子部と、吊子部の下流側に沿って横方向に連続して形成され上段に配置される屋根材の下端掛合片と掛合する突条部と、突条部より下端側の屋根材主板の一側端縁に主板を上方に折り返して形成された一側端掛合片と、突条部より下端側の屋根材主板の他側端縁に主板を下方に折り返して形成された他側端掛合片とを備えた金属製屋根材であり、屋根勾配の側方向に順次連結され、屋根勾配の上方向に下方の屋根材の上端部の上に上方の屋根材の下端部が順次重ねられて屋根を構成する。
【００１４】
尚、好ましい下端掛合片としては、屋根材主板の下端縁に主板をコ字状に折り返して形成され、また、好ましい突条部としては、上段に配置される屋根材の下端掛合片の端縁が装入される装入溝が形成される。これにより、例え台風のような強風で雨水が屋根を遡ったとしても、雨水の浸入を良好に阻止することができる。
【００１５】
突条部は、予め屋根に固定された一方の屋根材の一側端掛合片に連結される他方の屋根材の他側端掛合片を掛合させつつ主板の上端方向に摺動させることにより一方の屋根材の突条部に他方の屋根材の突条部が乗り上げて嵌合可能に形成されている。これにより、屋根葺き施工において屋根材を順次連結する際に施工が容易となる。
【００１６】
即ち、屋根を葺く場合には、屋根の下方から横方向に順次連結して葺いていくが、先に吊子部に釘等を打設して固定された第１の屋根材の一側端掛合片に、次に取り付ける第２の屋根材の他側端掛合片を掛合させながら、第２の屋根材を屋根傾斜に沿って上端方向に摺動させる。この際に、互いの突条部は、第１の屋根材の突条部に第２の屋根材の突条部が乗り上げて嵌合可能に形成されているため、これにより第２の屋根材の仮止めがなされるため、作業者は第２の屋根材を持つことなく、第２の屋根材の吊子部に釘等を打設して固定することができる。
【００１７】
本発明の突条部は、上に重ねられる屋根材の下端掛合片と掛合するもので、尚且つ、一方の屋根材の突条部に他方の屋根材の突条部が乗り上げて嵌合可能に形成されていればよく、好ましくは、乗り上げに容易な傾斜面を突条部の上下端方向に備える。
【００１８】
本発明では、それに加えて、好ましい態様として、屋根材主板の一側端部には、主板平面高さに対して低い段差が設けられ、前記一側端縁で折り返された一側端掛合片は、連結された屋根材主板同士の表出面が面一となる高さ位置に設けられている。即ち、連結される第１及び第２の突条部の重なり合う高さも、第１の屋根材の一側端掛合片と第２の屋根材の他側端掛合片との重なり合う面の高さも、下になる屋根材の方が低く形成され、結果的に、施工後に横方向に隣接する屋根材主板の表出面が面一となるため、雪等が屋根上に積もり難い構成とすることができる。また、見た目も表出部分が面一となるため、奇麗に仕上がる。
【００１９】
本発明では、更に加えて、好ましい態様として、段差の一部が目地溝として表出するように他方の屋根材が一方の屋根材に取り付けられるように、一側端掛合片又は他側端掛合片の折り返し長さが規制されている。これにより、屋根材にあたった雨水は、表出されている主板面上を流れ落ちるが、段の低い目地溝が樋の役目をし、この目地溝を通って流れとなって良好に流れ落ちる。
【００２０】
一側端掛合片又は他側端掛合片の折り返し長さはどちらを長くてもよいが、より好ましくは、一側端掛合片の折り返し長さが、他側端掛合片折り返し長さよりも長く形成される。これにより、連結部分の側方からの雨水の浸入を良好に阻止することができる。具体的には、一側端掛合片の折り返し部の長さは好ましくは、０．５〜５．５ｃｍ、更に好ましくは２．５〜５．５ｃｍとすることにより、例え台風のように横殴りの雨であっても雨水の浸入を良好に阻止することができる。
【００２１】
本発明の屋根材主板としては、平板でもよいが、好ましくは、主板の一側端部の段差と他側端縁との間の距離を均等に分割する前記表出される目地溝と同じ見た目幅の目地溝が少なくとも１本形成されている。これにより、屋根材自体の強度を向上させることと、屋根材自体の幅を長くとっても、幾枚の瓦が並んだ状態のデザインとすることとができ、更に、１本以上の目地溝によって、所謂「雨水の横走り現象」を抑制することができる。
【００２２】
また、目地溝で区切られた屋根材主板も平板だけでなく、例えば、傾斜方向に沿った折れ波状、曲波状にすることもできる。折れ波状及び曲波状にすることにより、屋根材自体の強度を更に向上させ、雨水の横走り現象を更に抑制することができる。また、折れ波の折れ角度を定めることにより、観る角度によって屋根材の外観が変わる。
【００２３】
本発明の一側端部又は主板の一側端部の段差と他側端縁との間に形成される目地溝としては、好ましくは、内側の各々の溝壁間の幅が表出する目地溝の幅よりも広く形成される。これにより、単なる平溝や角溝に比べて、「雨水の横走り現象」を更に抑制することができる。
【実施例】
【００２４】
図１は本発明の金属製屋根材の一実施例の構成を示す斜視図である。図２は図１のＰ１−Ｐ１断面図である。図３は図１のＰ２−Ｐ２断面図である。図４は図１のＰ３−Ｐ３断面図である。図５は図１のＰ４−Ｐ４断面図である。図６は図１の金属製屋根材同士を側方向に順次連結する取付動作を示す説明図である。
【００２５】
図７は図１の金属製屋根材同士を多段に連結する取付状態を示す説明図である。図８は図７のＰ５−Ｐ５断面の拡大図である。図９は目地部分の断面図であり、ａ図はジョイント結合部の目地の断面図、ｂ図は主板に形成された溝による目地の断面図、ｃ図は構成された屋根の例を示す説明図である。
【００２６】
図に示す通り、本発明の金属製屋根材１０は、矩形状の屋根材主板１２と、屋根材主板１２の下端縁に主板をコ字状に折り返して形成された下端掛合片１４と、屋根材主板１２の上縁部に沿って形成された吊子部１６と、吊子部１６の下流側に沿って横方向に連続して形成された突条部１８と、突条部１８より下端側の屋根材主板１２の図面向かって右側端縁に主板を上方に折り返して形成された一側端掛合片２０と、突条部１８より下端側の屋根材主板１２の左側端縁に主板を下方に折り返して形成された他側端掛合片２２とを備える。
【００２７】
図２の断面図に示す通り、連結する他の屋根材１０の突条部１８に乗り上げに容易な傾斜面１９を突条部の上下端方向に備えている。また、上段に配置される屋根材１０の下端掛合片１４の端縁が装入される装入溝２４が突条部１８の下端に形成されている。これにより、例え台風のような強風で雨水が屋根を遡ったとしても、雨水の浸入を良好に阻止することができる。
【００２８】
図３の断面図に示す通り、屋根材主板１２のうち組み上がった際に表出される主板平面高さである屋根平面部２６から断面がＳ字状に折込まれた第１折込み部２８の後に引き続いて低くなった段差３０が形成されている。この段差３０の第１折込み部２８の対向位置の段差３０からの立ち上がり部には第１折込み部２８に対向して折込まれた第２折込み部３２が形成された上で、一側端掛合片２０が形成されている。
【００２９】
また、段差３０及び一側端掛合部２０とは、屋根平面部２６の高さ位置に対して低く、図４に示す他側端掛合部２２によって連結された２つの屋根材主板１２同士の屋根平面部２６の高さ位置が面一となる（図９ａ図参照）。具体的には、一側端掛合片２０の高さ位置が屋根平面部２６の高さ位置よりも略板厚分低く設定されればよい。
【００３０】
図１に示す通り、屋根材主板１２には、主板１２の一側端部の段差３０と他側端縁との間の距離を３均等に分割する２つの目地溝３５が形成されている。図５の断面図に示す通り、この目地溝３５の対向する２つの縁には、屋根平面部２６から断面がＳ字状に折込まれた第１折込み部２９と、これに対向して第２折込み部３３が形成されて、内側の各々の溝壁間の幅が表出する目地溝３５の幅よりも広く形成されている。これにより、「雨水の横走り現象」をより効果的に抑制することができる。また、図８に示す通り、屋根材を左右の横方向から見ても目地溝３５の折り込みが見え、外観上の調和も図れる。
【００３１】
図６の側方向の取付動作に示す通り、屋根材１０を順に固着して屋根を葺いていく。吊子部１６に釘やネジで屋根に一方の屋根材１０を固着する。この一方の屋根材１０の一側端掛合片２０に連結される他方の屋根材１０の他側端掛合片２２を掛合させつつ主板１２の上端方向に摺動させることにより、一方の屋根材１０の突条部１８に他方の屋根材１０の突条部１８が乗り上げて嵌合可能に形成されている。これにより、屋根葺き施工において屋根材１０を順次連結する際に施工が容易となる。
【００３２】
この時、図８及び図９のａ図に示す通り、一側端掛合片２０の折り返し長さの方が、他側端掛合片２２の折り返し長さよりも長いことにより、両者の掛合状態は、互いの屋根平面部２６同士が離れて間に目地溝３４が形成される。この目地溝３４の幅Ｗ１は屋根平面２６を３つに分割する目地溝３５（図９のｂ図）の幅Ｗ２と同一である。これにより、図９のｃ図に示す通り、取り付けられた外観については、２種類の目地溝３４，３５の幅が同じであるため、外観上好ましい印象を与える。
【００３３】
また、図７の多段に連結する取付状態に示す通り、前列目の屋根材１０が装着された後に、前列目の突条部１８の装入溝２４に後列目のコ字状の下端掛合片１４を装着するように屋根材１０を固定する。この操作を側方へ向かって順に行う。また、突条部１８の上下端方向に備わった傾斜面１９は、本体を２段目に嵌合したときにエアーポケットａが形成され、ぴったりと合わさった場合に発生する毛細管現象による雨の進入を防止する効果がある利点もある。
【００３４】
更に、図１０は本発明の金属製屋根材の別の実施例の構成を示す説明図である。ａ図に示す通り、本実施例の金属製屋根材１１０の構成は、屋根平面部１２６が折れ波状に形成されている点を除いて図１に示した金属製屋根材１０と同じ構成である。そのため、同じ構成又は同等の構成については、同一符号を付している。
【００３５】
この折れ溝状の屋根平面部１２６は、屋根材１１０自体の強度を更に向上させ、雨水の横走り現象を更に抑制することができる。また、折れ波の折れ角度を一定に定めることにより、観る角度によって屋根材の外観が変わる利点も備える。具体的には、折れ波の１つの傾斜は１０〜２０ｍｍであるため、折れ波のピッチは２０〜４０ｍｍであり、山高さは１〜２．５ｍｍである。
【図面の簡単な説明】
【００３６】
【図１】本発明の金属製屋根材の一実施例の構成を示す斜視図である。
【図２】図１のＰ１−Ｐ１断面図である。
【図３】図１のＰ２−Ｐ２断面図である。
【図４】図１のＰ３−Ｐ３断面図である。
【図５】図１のＰ４−Ｐ４断面図である。
【図６】図１の金属製屋根材同士を側方向に順次連結する取付動作を示す説明図である。
【図７】図１の金属製屋根材同士を多段に連結する取付状態を示す説明図である。ａ図は平面図、ｂ図は重ね合わせ状態を示す縦断面図である。
【図８】図７のＰ５−Ｐ５断面の拡大図である。
【図９】目地部分の断面図であり、ａ図はジョイント結合部の目地の断面図、ｂ図は主板に形成された溝による目地の断面図、ｃ図は構成された屋根の例を示す説明図である。
【図１０】本発明の金属製屋根材の別の実施例の構成を示す説明図であり、ａ図は斜視図、ｂ図はａ図のＰ６-Ｐ６断面図である。
【符号の説明】
【００３７】
１０…金属製屋根材、
１１０…金属製屋根材、
１２…屋根材主板、
１４…下端掛合片、
１６…吊子部、
１８…突条部、
１９…傾斜面、
２０…一側端掛合片、
２２…他側端掛合片、
２４…装入溝、
２６…屋根平面部、
１２６…屋根平面部、
２８…第１折込み部、
２９…第１折込み部、
３０…段差、
３２…第２折込み部、
３３…第２折込み部、
３４…目地溝（ジョイント部）、
３５…目地溝（分割部）、
Ｗ１…目地溝の幅、
Ｗ２…目地溝の幅、
【図１】
2007023669.tif 000003
【図２】
2007023669.tif 000004
【図３】
2007023669.tif 000005
【図４】
2007023669.tif 000006
【図５】
2007023669.tif 000007
【図６】
2007023669.tif 000008
【図７】
2007023669.tif 000009
【図８】
2007023669.tif 000010
【図９】
2007023669.tif 000011
【図１０】
2007023669.tif 000012